(57)【要約】【課題】新聞を収容して宅配することができるとともに、新聞以外の商品等も収容して宅配することができる物品宅配装置を提供する。【解決手段】物品宅配装置１は、移動車両の荷台に固定して使用する略矩形箱状のものであって、複数部の新聞を積み重ねることが可能な底壁１１と、底壁上に積み重ねた新聞を取り出し可能な開口部２１、２２を有する側壁１２を含む４つの側壁と、開口部を開閉する蓋３１、３２と、開閉可能な天壁１６と、天壁を閉じ位置に施錠して物品宅配装置１内へのアクセスを禁止する天壁錠２０と、を有する。物品宅配装置１は、天壁を施錠した状態で蓋を開くことを禁止するとともに、天壁錠を解錠して天壁を開けた状態で蓋を開くことを可能にする。【選択図】図３
2020001817.tif 000002
【特許請求の範囲】
【請求項１】
移動車両の荷台に固定して使用する略矩形箱状の物品宅配装置であって、
複数部の新聞を積み重ねることが可能な底壁と、
前記底壁上に積み重ねた新聞を取り出し可能な開口部を有する少なくとも１つの側壁を含む４つの側壁と、
前記開口部を開閉する蓋と、
開閉可能な天壁と、
前記天壁を閉じ位置に施錠して前記物品宅配装置内へのアクセスを禁止する天壁錠と、を有し、
前記天壁を施錠した状態で前記蓋を開くことを禁止するとともに、前記天壁錠を解錠して前記天壁を開けた状態で前記蓋を開くことを可能にした物品宅配装置。
【請求項２】
前記開口部を閉じた前記蓋を前記物品宅配装置の内側から施錠可能な蓋錠をさらに有する、
請求項１の物品宅配装置。
【請求項３】
前記開口部は、複数部の新聞を前記底壁上に積み重ねた第１の積層体から新聞を取り出し可能な第１の開口部と、複数部の新聞を前記第１の積層体に並べて前記底壁上に積み重ねた第２の積層体から新聞を取り出し可能な前記第１の開口部に並設した第２の開口部と、を有し、
前記第１の積層体と前記第２の積層体の間に着脱可能に取り付けられ、前記物品宅配装置の内部空間を２つに区画する仕切板をさらに有する、
請求項１の物品宅配装置。
【請求項４】
前記仕切板は、前記天壁側の上端縁から前記底壁側の下端縁に向けて切り欠いた切り欠き部を有する、
請求項３の物品宅配装置。
【請求項５】
前記底壁は、当該底壁を貫通した排水口を有する、
請求項１の物品宅配装置。
【請求項６】
前記天壁は、前記閉じ位置に配置した状態で、前記開口部を有する側壁から当該側壁と反対側の側壁に向けて下方に傾斜している、
請求項１の物品宅配装置。
【発明の詳細な説明】
【技術分野】
【０００１】
本発明は、例えば、新聞や商品などの物品を入れて宅配するための物品宅配装置に関する。
【背景技術】
【０００２】
従来、新聞をオートバイの荷台に積み込むため、専用の収納装置が用いられている。
【先行技術文献】
【特許文献】
【０００３】
【特許文献１】特開平３−２３９６９０号公報
【発明の概要】
【発明が解決しようとする課題】
【０００４】
近年、各種商品の通信販売を利用する利用者が増えており、商品を利用者の自宅に宅配する作業員が不足しつつある。このため、新聞販売店の作業員が新聞を配達していない時間帯を利用して、新聞以外の商品を宅配するサービスが普及されつつある。新聞の配達には、通常、オートバイが利用される。
【０００５】
しかし、上述した従来の収納装置のように新聞専用にあつらえた装置を新聞以外の商品の宅配に利用することは難しい。例えば、特許文献１の装置は、新聞を横から取り出すことができるように枠状の構造を有し、商品を収容した場合には脱落のおそれがある。また、作業員が商品を宅配しているときに装置に収納した他の商品がむき出しになっているため、セキュリティー上の問題がある。
【０００６】
本発明は、上記の点に鑑みてなされたもので、新聞を収容して宅配することができるとともに、新聞以外の商品等も収容して宅配することができる物品宅配装置を提供することを目的とする。
【課題を解決するための手段】
【０００７】
本発明の物品宅配装置の一態様は、移動車両の荷台に固定して使用する略矩形箱状のものであって、複数部の新聞を積み重ねることが可能な底壁と、底壁上に積み重ねた新聞を取り出し可能な開口部を有する少なくとも１つの側壁を含む４つの側壁と、開口部を開閉する蓋と、開閉可能な天壁と、天壁を閉じ位置に施錠して物品宅配装置内へのアクセスを禁止する天壁錠と、を有する。この物品宅配装置は、天壁を施錠した状態で蓋を開くことを禁止するとともに、天壁錠を解錠して天壁を開けた状態で蓋を開くことを可能にする。
【発明の効果】
【０００８】
本発明の物品宅配装置によれば、新聞を収容して宅配することができるとともに、新聞以外の商品等も収容して宅配することができる。
【図面の簡単な説明】
【０００９】
【図１】図１は、実施形態に係る物品宅配装置を示す外観斜視図である。
【図２】図２（ａ）は、図１の物品宅配装置を一側面側から見た側面図であり、図２（ｂ）は、物品宅配装置を上方から見た平面図であり、図２（ｃ）は、物品宅配装置を他の側面側から見た側面図である。
【図３】図３は、図１の物品宅配装置の天壁を開けて蓋をスライドさせた状態を示す斜視図である。
【図４】図４は、図３の物品宅配装置をＦ４−Ｆ４に沿って切断した蓋のスライド支持構造を示す部分拡大断面図である。
【図５】図５は、図１の物品宅配装置の中に仕切板を配置した状態を示す斜視図である。
【図６】図６は、図１の物品宅配装置の底壁に設けた排水孔を示す部分断面斜視図である。
【図７】図７は、図４の蓋の第１の変形例を示す断面図である。
【図８】図８は、図４の蓋の第２の変形例を示す断面図である。
【発明を実施するための形態】
【００１０】
以下、本発明を実施するための形態について図面を参照して説明する。  
図１は、新聞や商品等の物品（図示せず）を宅配する物品宅配装置１を示す外観斜視図である。図２（ａ）は図１の物品宅配装置１を一側面側から見た側面図であり、図２（ｂ）は物品宅配装置１を上方から見た平面図であり、図２（ｃ）は物品宅配装置１を他の側面側から見た側面図である。
【００１１】
物品宅配装置１は、例えばオートバイや自転車などの図示しない移動車両の荷台に固定して使用される。本実施形態では、物品宅配装置１は、図２（ａ）に示す一側面が移動車両の走行方向に向かって左側（日本では歩道側）に配置され、図２（ｃ）に示す他の側面が移動車両の走行方向の後方に配置される姿勢で荷台に取り付けられる。
【００１２】
本実施形態の物品宅配装置１は、図示のように、略矩形箱状の筐体１０を有する。筐体１０は、矩形板状の底壁１１、矩形板状の４枚の側壁１２、１３、１４、１５、および天壁１６を有する。４枚の側壁１２、１３、１４、１５は、底壁１１の４つの辺それぞれに接続され、底壁１１と直交する方向に延設されている。筐体１０は、例えば、板金や樹脂などにより形成される。
【００１３】
底壁１１は、図示しない複数部の新聞を積み重ねて集積することができる平らな内面を有する。底壁１１は、少なくとも、４つ折りにした大きさの新聞を複数部積み重ねた図示しない第１の積層体と、同じく４つ折りにした複数部の新聞を積み重ねた図示しない第２の積層体と、を移動車両の走行方向に沿って前後に並べて載置可能な大きさを有する。
【００１４】
移動車両の左側の側壁１２は、物品宅配装置１内に収容した第１の積層体から新聞を取り出し可能な位置に第１の開口部２１を有する。また、側壁１２は、物品宅配装置１内に収容した第２の積層体から新聞を取り出し可能な位置に第２の開口部２２を有する。第１の開口部２１は、移動車両の走行方向の前方に設けられ、第２の開口部２２は、移動車両の走行方向の後方で第１の開口部２１に並べて設けられている。
【００１５】
第１および第２の開口部２１、２２は、それぞれ、４つ折りにした新聞の幅よりわずかに狭い幅の略矩形状に形成されている。各開口部２１、２２の上端縁は、天壁１６の後述する側板部１８よりわずかに下方に離間した位置にあり、各開口部２１、２２の下端縁は、底壁１１からわずかに上方に離間した位置にある。これにより、各開口部２１、２２から後述する蓋３１、３２を取り外した状態であっても、筐体内に収容した新聞が開口部２１、２２の縁に引っ掛かって、開口部２１、２２から脱落しないようになっている。
【００１６】
本実施形態では、上述したように、左側の側壁１２だけに２つの開口部２１、２２を設けた。つまり、他の３枚の側壁１３、１４、１５には、開口部を設けていない。しかし、開口部２１、２２は、４枚の側壁１２、１３、１４、１５のうちいずれの側壁に設けてもよく、第１の積層体または第２の積層体から新聞を取り出し可能な位置に少なくとも１つずつ設ければよい。例えば、左側の側壁１２に第１の積層体に対向する開口部２１を設けて、右側の側壁１４に第２の積層体に対向する開口部２２を設けてもよい。或いは、左側の側壁１２に２つの開口部２１、２２を設けて、右側の側壁１４にも２つの開口部２１、２２を設けてもよい。
【００１７】
天壁１６は、４枚の側壁１２、１３、１４、１５の上端縁により囲まれた矩形の開口部２４（図３）を開閉可能に設けられている。天壁１６は、底壁１１や開口部２４より一回り大きい矩形板状の蓋板部１７、および蓋板部１７の４つの端辺から下方に一体に垂設した枠状の側板部１８を有する。
【００１８】
蓋板部１７は、開口部２４に対向することが可能で、開口部２４を覆う大きさを有する。蓋板部１７は、天壁１６を図１に示す閉じ位置に配置した状態で、開口部２１、２２を有する側壁１２から反対側の側壁１４に向けて下方にわずかに傾斜している（図２ｃ参照）。このため、天壁１６上に降った雨は、天壁１６上に溜まることなく、傾斜に沿って側壁１４側（移動車両の右側）に流れ落ちる。
【００１９】
側板部１８は、４枚の側壁１２、１３、１４、１５の上端側の外面に沿ってそれぞれ延設された４枚の板体を開口部２４に沿って枠状につなげた形状を有する。よって、天壁１６を図１に示す閉じ位置に配置した状態で、側板部１８は、４枚の側壁１２、１３、１４、１５の外面の一部を外側から部分的に覆う。
【００２０】
天壁１６の側壁１４側（移動車両の右側）には、天壁１６の側板部１８を側壁１４の上端近くに回動可能に連結したヒンジ部１９が設けられている。天壁１６は、このヒンジ部１９を介して側壁１４に対して回動可能に取り付けられている。このため、天壁１６は、ヒンジ部１９を中心に図１に示す閉じ位置と図示しない開放位置との間で回動可能となっている。本実施形態では、図２（ｂ）に示すように、側壁１４の上端辺に沿って互いに離間した３つのヒンジ部１９を設けた。
【００２１】
２つの開口部２１、２２の間で側壁１２の上端近くには、天壁１６を図１に示す閉じ位置に施錠するための天壁錠２０が設けられている。本実施形態における天壁錠２０は、図示しない鍵を用いて施錠および解錠が可能なものである。しかし、天壁錠２０は、この他に、例えば、番号キーやカードキーなどであってもよい。
【００２２】
図３に示すように、左側の側壁１２の開口部２１、２２には、それぞれ、矩形板状の蓋３１、３２が、開口部２１、２２を開閉可能に設けられている。本実施形態では、蓋３１、３２を側壁１２の内面に沿って上下にスライド可能に支持した。このため、天壁１６を開放した状態で、蓋３１、３２を側壁１２の内面に沿って上方にスライドさせることにより、蓋３１、３２を開口部２１、２２から取り外し可能となっている。
【００２３】
逆に、開口部２１、２２の内面側に蓋３１、３２を取り付けて天壁１６を図１に示す閉じ位置に配置した状態では、天壁１６の蓋板部１７が邪魔になって、蓋３１、３２を上方に引き抜くことができない。このため、天壁１６を閉じた状態では、蓋３１、３２を開口部２１、２２から取り外すことができない。よって、蓋３１、３２により開口部２１、２２を塞いだ状態で天壁１６を施錠することで、開口部２１、２２を介して物品宅配装置１の筐体１０内へのアクセスができなくなり、セキュリティーを確保することができる。
【００２４】
図４は、図３の一方の蓋３２のスライド支持構造を示すＦ４−Ｆ４線に沿った断面図である。ここでは、一方の蓋３２のスライド支持構造について説明し、同じ構造のもう一方の蓋３１のスライド支持構造の説明を省略する。  
開口部２２を有する側壁１２は、二重板構造を有する。つまり、側壁１２は、物品宅配装置１の外面側に位置する外板４１、および物品宅配装置１の内面側に位置する内板４２を有する。内板４２のさらに内面側には、商品を保護するための衝撃吸収性を有する内貼り部材４４が設けられている。外板４１と内板４２は、例えば、板体を折り曲げた形状のフレーム４３を介して部分的に連結されており、互いに離間して平行に配置されている。外板４１および内板４２の所定位置には、上述した開口部２２が形成されている。
【００２５】
開口部２２の縁には、防水のためのシール部材４５が設けられている。シール部材４５は、開口部２２の全周に設けられている。より具体的には、シール部材４５は、外板４１の開口部２２の縁の全周に設けられているとともに、内板４２の開口部２２の縁の全周に設けられている。また、開口部２２の上下方向に延設された縁部には、蓋３２の上下方向に延設された２つの端辺をスライド可能に受け入れる２本のレール４６Ｒ、４６Ｌが設けられている。レール４６Ｒ、４６Ｌは、開口部２２の縁に隣接して内板４２の外面に取り付けられている。
【００２６】
上述したように、外板４１の開口部２２の縁にシール部材４５を設けることにより、開口部２２を介して外板４１と蓋３２の外面との間に侵入する雨水を防ぐことができる。また、開口部２２を介して外板４１と蓋３２の間にわずかな雨水が侵入した場合であっても、内板４２の開口部２２の縁に設けたシール部材４５により、蓋３２の内面と内板４２の開口部２２の縁との間を水が浸入することを防止することができる。
【００２７】
図５に示すように、物品宅配装置１の筐体１０内には、仕切板５０が着脱可能に取り付けられる。仕切板５０は、底壁１１上に積重ねた図示しない第１の積層体と図示しない第２の積層体の間に着脱可能に取り付けられる。仕切板５０は、側壁１３、１５と略平行な向きで取り付けられる。仕切板５０は、物品宅配装置１の筐体１０内に取り付けた状態で、物品宅配装置１の筐体１０の内部空間を前後に２つに区画する。
【００２８】
仕切板５０は、天壁１６側の上端縁から底壁１１側の下端縁に向けて切り欠いた切り欠き部５２を有する。この切り欠き部５２は、天壁１６を開けて開口部２４を介して新聞の積層体（第１の積層体、第２の積層体）を物品宅配装置１内に入れるとき、積層体の側面を手で支え易くするために設けられている。よって、この切り欠き部５２は、少なくとも作業員の掌程度の大きさを有することが望ましい。
【００２９】
また、仕切板５０は、開口部２４を介して物品宅配装置１内に新聞以外の商品などを入れるとき、筐体１０から取り外される。取り外された仕切板５０は、筐体１０の底壁１１や側壁１２、１３、１４、１５の内面に固定され、物品宅配装置１の筐体１０内に収容可能である。上述した２枚の蓋３１、３２も、同様に、開口部２１、２２から取り外した後、物品宅配装置１の筐体１０内に収容可能である。
【００３０】
図６に示すように、物品宅配装置１の筐体１０の底壁１１には、底壁１１を貫通した排水孔６０が設けられている。本実施形態では、底壁１１の対角に２つの排水孔６０を設けた。具体的には、側壁１２と側壁１５の間の底壁１１の角部、および側壁１３と側壁１４の間の底壁１１の角部近くに、それぞれ、排水孔６０を設けた。底壁１１の内面には、排水孔６０に向けて下方に傾斜した溝などを設けてもよい。或いは、底壁１１の内面形状を、排水孔６０に向けてわずかに下方に傾斜した形状にしてもよい。
【００３１】
排水孔６０は、筐体１０内に入った雨水を排水する。物品宅配装置１は、新聞を宅配する際に、側壁１２の開口部２１、２２に設けた蓋３１、３２を取り外して開口部２１、２２を開放したままにする。つまり、新聞を配達する際には、作業性を高めるため、開口部２１、２２を開放する。このため、雨が降っている場合には、開口部２１、２２を介して筐体１０内に雨水が入る。新聞は、ビニール袋で個装されているため、雨に濡れる心配はない。新聞以外の商品を筐体１０内に収容して宅配する場合には、排水孔６０は、図示しない栓により塞がれる。この栓は、筐体１０の内側から着脱可能であり、筐体１０の外側から着脱不能である。
【００３２】
以上のように、本実施形態によると、新聞を配達する際には、筐体１０の左側の側壁１２に設けた開口部２１、２２を開放して作業性を向上させることができ、新聞以外の商品などを筐体１０内に収容して宅配する際には、開口部２１、２２を蓋３１、３２で塞いで商品の脱落を防止することができる。このため、新聞の宅配に適した装置と商品の宅配に適した装置を別々に用意する必要がなく、１つの装置で新聞および商品用に兼用にすることができる。これにより、宅配する物品の種類に合わせて装置を移動車両に対して付け替える必要がなく、作業性を向上させることができる。また、これにより、複数種類の装置を用意する必要がなく、使用していない装置を保管する場所を確保する必要もなく、装置の管理コストを低減することができる。
【００３３】
また、本実施形態の物品宅配装置１のように、天壁１６を施錠した状態で、側壁１２の開口部２１、２２を塞いだ蓋３１、３２の取り外しを不能とすることで、新聞以外の商品などを宅配する際に、物品宅配装置１内に収容した商品の盗難を防止することができ、セキュリティーを確保することができる。
【００３４】
なお、本発明は、上述した実施形態に限定されるものではなく、発明の範囲を超えることなく任意に変更可能である。例えば、上述した実施形態では、側壁１２の開口部２１、２２を塞ぐ蓋３１、３２を上下にスライド可能な蓋にしたが、これに限らず、図７または図８に示すようなキャップ体７０、８０を用いて側壁１２の開口部２１、２２を塞ぐようにしてもよい。この場合、筐体１０の外側から開口部２１、２２より一回り大きい矩形のキャップ体７０、８０を開口部２１、２２に装着可能とし、筐体１０の内側から蓋錠７２、８２によってキャップ体７０、８０を施錠すればよい。
【符号の説明】
【００３５】
１…物品宅配装置、  １０…筐体、  １２、１３、１４、１５…側壁、  １６…天壁、  １９…ヒンジ部、  ２０…天壁錠、  ２１、２２…開口部、  ３１、３２…蓋、  ５０…仕切板、  ５２…切り欠き部、  ６０…排水孔。
【図１】
2020001817.tif 000003
【図２】
2020001817.tif 000004
【図３】
2020001817.tif 000005
【図４】
2020001817.tif 000006
【図５】
2020001817.tif 000007
【図６】
2020001817.tif 000008
【図７】
2020001817.tif 000009
【図８】
2020001817.tif 000010
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
移動車両の荷台に固定して使用する略矩形箱状の物品宅配装置であって、
複数部の新聞を積み重ねることが可能な底壁と、
前記底壁上に積み重ねた新聞を取り出し可能な側方の開口部を有する少なくとも１つの側壁を含む４つの側壁と、
前記少なくとも１つの側壁に沿って上下に移動可能に設けられ、前記側方の開口部を開閉する蓋と、
前記４つの側壁の上端縁により囲まれた矩形の上方の開口部を開閉可能な天壁と、
前記天壁を閉じ位置に施錠して前記物品宅配装置内へのアクセスを禁止する天壁錠と、を有し、
前記天壁は、前記閉じ位置に配置した状態で前記蓋の上端に対向し当該蓋を上方に開くことを禁止するとともに、前記天壁を開けた状態で前記蓋を上方に開くことを可能にした物品宅配装置。
【請求項２】
移動車両の荷台に固定して使用する略矩形箱状の物品宅配装置であって、
複数部の新聞を積み重ねることが可能な底壁と、
前記底壁上に積み重ねた新聞を取り出し可能な開口部を有する少なくとも１つの側壁を含む４つの側壁と、
前記開口部を開閉する蓋と、
前記開口部を閉じた前記蓋を前記物品宅配装置の内側から施錠可能な蓋錠と、
開閉可能な天壁と、
前記天壁を閉じ位置に施錠して前記物品宅配装置内へのアクセスを禁止する天壁錠と、を有し、
前記天壁を施錠した状態で前記蓋を開くことを禁止するとともに、前記天壁錠を解錠して前記天壁を開けた状態で前記蓋を開くことを可能にした物品宅配装置。
【請求項３】
前記側方の開口部は、複数部の新聞を前記底壁上に積み重ねた第１の積層体から新聞を取り出し可能な第１の開口部と、複数部の新聞を前記第１の積層体に並べて前記底壁上に積み重ねた第２の積層体から新聞を取り出し可能な前記第１の開口部に並設した第２の開口部と、を有し、
前記第１の積層体と前記第２の積層体の間に着脱可能に取り付けられ、前記物品宅配装置の内部空間を２つに区画する仕切板をさらに有する、
請求項１の物品宅配装置。
【請求項４】
前記仕切板は、前記天壁側の上端縁から前記底壁側の下端縁に向けて切り欠いた切り欠き部を有する、
請求項３の物品宅配装置。
【請求項５】
前記底壁は、当該底壁を貫通した排水口を有する、
請求項１の物品宅配装置。
【請求項６】
前記天壁は、前記閉じ位置に配置した状態で、前記側方の開口部を有する側壁から当該側壁と反対側の側壁に向けて下方に傾斜している、
請求項１の物品宅配装置。
【手続補正２】
【補正対象書類名】明細書
【補正対象項目名】０００７
【補正方法】変更
【補正の内容】
【０００７】
本発明の物品宅配装置の一態様は、移動車両の荷台に固定して使用する略矩形箱状のものであって、複数部の新聞を積み重ねることが可能な底壁と、底壁上に積み重ねた新聞を取り出し可能な側方の開口部を有する少なくとも１つの側壁を含む４つの側壁と、少なくとも１つの側壁に沿って上下に移動可能に設けられ、側方の開口部を開閉する蓋と、４つの側壁の上端縁により囲まれた矩形の上方の開口部を開閉可能な天壁と、天壁を閉じ位置に施錠して前記物品宅配装置内へのアクセスを禁止する天壁錠と、を有する。天壁は、閉じ位置に配置した状態で蓋の上端に対向し当該蓋を上方に開くことを禁止するとともに、天壁を開けた状態で蓋を上方に開くことを可能にする。
【手続補正３】
【補正対象書類名】明細書
【補正対象項目名】００１６
【補正方法】変更
【補正の内容】
【００１６】
本実施形態では、上述したように、左側の側壁１２だけに２つの開口部２１、２２（側方の開口部）を設けた。つまり、他の３枚の側壁１３、１４、１５には、開口部を設けていない。しかし、開口部２１、２２は、４枚の側壁１２、１３、１４、１５のうちいずれの側壁に設けてもよく、第１の積層体または第２の積層体から新聞を取り出し可能な位置に少なくとも１つずつ設ければよい。例えば、左側の側壁１２に第１の積層体に対向する開口部２１を設けて、右側の側壁１４に第２の積層体に対向する開口部２２を設けてもよい。或いは、左側の側壁１２に２つの開口部２１、２２を設けて、右側の側壁１４にも２つの開口部２１、２２を設けてもよい。
【手続補正４】
【補正対象書類名】明細書
【補正対象項目名】００１７
【補正方法】変更
【補正の内容】
【００１７】
天壁１６は、４枚の側壁１２、１３、１４、１５の上端縁により囲まれた矩形の開口部２４（上方の開口部）（図３）を開閉可能に設けられている。天壁１６は、底壁１１や開口部２４より一回り大きい矩形板状の蓋板部１７、および蓋板部１７の４つの端辺から下方に一体に垂設した枠状の側板部１８を有する。
【手続補正５】
【補正対象書類名】明細書
【補正対象項目名】００３４
【補正方法】変更
【補正の内容】
【００３４】
なお、本発明は、上述した実施形態に限定されるものではなく、発明の範囲を超えることなく任意に変更可能である。例えば、上述した実施形態では、側壁１２の開口部２１、２２を塞ぐ蓋３１、３２を上下にスライド可能な蓋にしたが、これに限らず、図７または図８に示すようなキャップ体７０、８０を用いて側壁１２の開口部２１、２２を塞ぐようにしてもよい。この場合、筐体１０の外側から開口部２１、２２より一回り大きい矩形のキャップ体７０、８０を開口部２１、２２に装着可能とし、筐体１０の内側から蓋錠７２、８２によってキャップ体７０、８０を施錠すればよい。
以下、本願の出願当初の特許請求の範囲に記載された発明を付記する。
［１］
移動車両の荷台に固定して使用する略矩形箱状の物品宅配装置であって、
複数部の新聞を積み重ねることが可能な底壁と、
前記底壁上に積み重ねた新聞を取り出し可能な開口部を有する少なくとも１つの側壁を含む４つの側壁と、
前記開口部を開閉する蓋と、
開閉可能な天壁と、
前記天壁を閉じ位置に施錠して前記物品宅配装置内へのアクセスを禁止する天壁錠と、を有し、
前記天壁を施錠した状態で前記蓋を開くことを禁止するとともに、前記天壁錠を解錠して前記天壁を開けた状態で前記蓋を開くことを可能にした物品宅配装置。
［２］
前記開口部を閉じた前記蓋を前記物品宅配装置の内側から施錠可能な蓋錠をさらに有する、
［１］の物品宅配装置。
［３］
前記開口部は、複数部の新聞を前記底壁上に積み重ねた第１の積層体から新聞を取り出し可能な第１の開口部と、複数部の新聞を前記第１の積層体に並べて前記底壁上に積み重ねた第２の積層体から新聞を取り出し可能な前記第１の開口部に並設した第２の開口部と、を有し、
前記第１の積層体と前記第２の積層体の間に着脱可能に取り付けられ、前記物品宅配装置の内部空間を２つに区画する仕切板をさらに有する、
［１］の物品宅配装置。
［４］
前記仕切板は、前記天壁側の上端縁から前記底壁側の下端縁に向けて切り欠いた切り欠き部を有する、
［３］の物品宅配装置。
［５］
前記底壁は、当該底壁を貫通した排水口を有する、
［１］の物品宅配装置。
［６］
前記天壁は、前記閉じ位置に配置した状態で、前記開口部を有する側壁から当該側壁と反対側の側壁に向けて下方に傾斜している、
［１］の物品宅配装置。
【手続補正６】
【補正対象書類名】図面
【補正対象項目名】図３
【補正方法】変更
【補正の内容】
【図３】
2020001817.tif 000011